(57)【要約】【課題】複数系統の時系列の区間にそれぞれ関連付けられたコメントを検索し表示することを可能にする。【解決手段】  本発明は、クライアント装置が、サーバ装置から再生されるコンテンツの固有の時間情報と複数の系統がある時系列の区間との対応関係を表す構造情報を取得し、コンテンツを再生し、構造情報の固有の時間情報に基づいて、再生中のコンテンツの時間情報を取得し、サーバ装置から構造情報に基づいて再生中のコンテンツの時間を包含する全ての区間に対応付けられたコメントを取得し、コメントを、コンテンツの時間情報に対応する区間のコンテンツの再生中に表示装置に表示する。【選択図】  図１
2005159903.tif 000002
【特許請求の範囲】
【請求項１】
クライアント装置とサーバ装置からなるシステムにおいて、時系列の区間に分割できるコンテンツの再生時に、コンテンツに関連付けられたコメントを表示するコンテンツ連動型コメント表示方法において、
前記クライアント装置の構造情報取得手段が、前記サーバ装置にアクセスすることにより、再生されるコンテンツの固有の時間情報と複数の系統がある時系列の区間との対応関係を表す構造情報を取得する構造情報取得過程と、
前記クライアント装置のコンテンツ再生手段が、コンテンツを再生するコンテンツ再生過程と、
前記クライアント装置の時間情報取得手段が、前記構造情報の固有の時間情報に基づいて、前記コンテンツ再生過程において再生中のコンテンツの時間情報を取得する時間情報取得過程と、
前記クライアント装置のコメント取得手段が、前記サーバ装置に対して、前記構造情報に基づいて前記再生中のコンテンツの時間を包含する全ての区間に対応付けられたコメントを要求し、該サーバ装置からコメントを取得するコメント取得過程と、
制御手段が、前記コメント取得過程で取得した前記コメントを、前記コンテンツの時間情報に対応する区間のコンテンツの再生中に表示装置に表示するコメント表示過程と、からなることを特徴とするコンテンツ連動型コメント表示方法。
【請求項２】
前記コメント表示過程において、
時系列の区間の系統毎にコメントを表示または消去する請求項1記載のコンテンツ連動型コメント表示方法。
【請求項３】
クライアント装置とサーバ装置からなり、時系列の区間に分割できるコンテンツの再生時に、コンテンツに関連付けられたコメントを表示するコンテンツ連動型コメント表示システムであって、
前記サーバ装置は、
再生されるコンテンツ固有の時間情報と複数の系統がある時系列の区間との対応関係を表す構造情報を格納する構造情報データベースと、
コンテンツの区間毎に割り当てられたコメントを格納するコメントデータベースと、
前記クライアント装置から再生中のコンテンツに対応する構造情報の要求が発行されると、前記構造情報データベースを検索して該クライアント装置に返却する構造情報検索手段と、
前記クライアント装置からコメントの要求が発行されると、前記コメントデータベースを検索して、該クライアント装置に返却するコメント検索手段と、を有し、
前記クライアント装置は、
前記サーバ装置にアクセスすることにより、再生するコンテンツの構造情報を要求し、該構造情報を取得する構造情報取得手段と、
コンテンツを再生するコンテンツ再生手段と、
前記構造情報のコンテンツ固有の時間情報に基づいて、再生中のコンテンツの時間情報を取得する時間情報取得手段と、
前記サーバ装置に対して、前記構造情報に基づいて、前記再生中のコンテンツの時間を包含する全ての区間に対応付けられたコメントを要求し、該サーバ装置からコメントを取得するコメント取得手段と、
前記コンテンツの時間情報に対応する区間のコンテンツの再生中に前記コメントを表示装置に表示するコメント表示手段と、を有することを特徴とするコンテンツ連動型コメント表示システム。
【請求項４】
前記コメント表示手段は、
時系列の区間の系統毎にコメントを表示または消去する手段を含む請求項３記載のコンテンツ連動型コメント表示システム。
【請求項５】
クライアント装置とサーバ装置からなり、時系列の区間に分割できるコンテンツの再生時に、コンテンツに関連付けられたコメントを表示するシステムにおけるサーバ装置であって、
再生されるコンテンツ固有の時間情報と複数の系統がある時系列の区間との対応関係を表す構造情報を格納する構造情報データベースと、
コンテンツの区間毎に割り当てられたコメントを格納するコメントデータベースと、
前記クライアント装置から再生中のコンテンツに対応する構造情報の要求が発行されると、前記構造情報データベースを検索して該クライアント装置に返却する構造情報検索手段と、
前記クライアント装置からコメントの要求が発行されると、前記コメントデータベースを検索して、該クライアント装置に返却するコメント検索手段と、を有することを特徴とするサーバ装置。
【請求項６】
クライアント装置とサーバ装置からなり、時系列の区間に分割できるコンテンツの再生時に、コンテンツに関連付けられたコメントを表示するシステムにおけるクライアント装置であって、
コンテンツ再生時に、再生されるコンテンツ固有の時間情報と複数の系統がある時系列の区間との対応関係を表す構造情報をサーバ装置に要求し、取得する構造情報取得手段と、
コンテンツを再生するコンテンツ再生手段と、
前記構造情報のコンテンツ固有の時間情報に基づいて、再生中のコンテンツの時間情報を取得する時間情報取得手段と、
前記サーバ装置に対して、前記構造情報に基づいて、前記再生中のコンテンツの時間を包含する全ての区間に対応付けられたコメントを要求し、該サーバ装置からコメントを取得するコメント取得手段と、
前記コンテンツの時間情報に対応する区間のコンテンツの再生中に前記コメントを表示装置に表示するコメント表示手段と、を有することを特徴とするクライアント装置。
【請求項７】
前記コメント表示手段は、
時系列の区間の系統毎にコメントを表示または消去する手段を含む請求項６記載のクライアント装置。
【請求項８】
クライアント装置とサーバ装置からなり、時系列の区間に分割できるコンテンツの再生時に、コンテンツに関連付けられたコメントを表示するシステムにおける該サーバ装置に実行させるコンテンツ連携型コメント表示プログラムであって、
前記クライアント装置から再生中のコンテンツに対応する構造情報の要求が発行されると、再生されるコンテンツ固有の時間情報と複数の系統がある時系列の区間との対応関係を表す構造情報を格納する構造情報データベースを検索して該クライアント装置に返却する構造情報検索ステップと、
前記クライアント装置からコメントの要求が発行されると、コンテンツの区間毎に割り当てられたコメントを格納するコメントデータベースを検索して、該クライアント装置に返却するコメント検索ステップと、をコンピュータに実行させることを特徴とするコンテンツ連携型コメント表示プログラム。
【請求項９】
クライアント装置とサーバ装置からなり、時系列の区間に分割できるコンテンツの再生時に、コンテンツに関連付けられたコメントを表示するシステムにおけるクライアント装置に実行させるコンテンツ連携型コメント表示プログラムであって、
コンテンツ再生時に、再生されるコンテンツ固有の時間情報と複数の系統がある時系列の区間との対応関係を表す構造情報をサーバ装置に要求し、取得する構造情報取得ステップと、
コンテンツを再生させるコンテンツ再生ステップと、
前記構造情報の固有の時間情報に基づいて、再生中のコンテンツの時間情報を取得する時間情報取得ステップと、
前記サーバ装置に対して、前記構造情報に基づいて、前記再生中のコンテンツの時間を包含する全ての区間に対応付けられたコメントを要求し、該サーバ装置からコメントを取得するコメント取得ステップと、
前記コンテンツの時間情報に対応する区間のコンテンツの再生中に前記コメントを表示装置に表示させるコメント表示ステップと、をコンピュータに実行させることを特徴とする連携型コメント表示プログラム。
【請求項１０】
前記コメント表示ステップにおいて、
時系列の区間の系統毎にコメントを表示または消去するステップを含む請求項９記載の連携型コメント表示プログラム。
【請求項１１】
クライアント装置とサーバ装置からなり、時系列の区間に分割できるコンテンツの再生時に、コンテンツに関連付けられたコメントを表示するシステムにおける該サーバ装置に実行させるコンテンツ連携型コメント表示プログラムを格納したコンピュータ読み取り可能な記憶媒体であって、
前記クライアント装置から再生中のコンテンツに対応する構造情報の要求が発行されると、再生されるコンテンツ固有の時間情報と複数の系統がある時系列の区間との対応関係を表す構造情報を格納する構造情報データベースを検索して該クライアント装置に返却する構造情報検索ステップと、
前記クライアント装置からコメントの要求が発行されると、コンテンツの区間毎に割り当てられたコメントを格納するコメントデータベースを検索して、該クライアント装置に返却するコメント検索ステップと、をコンピュータに実行させるプログラムを格納したことを特徴とするコンテンツ連携型コメント表示プログラムを格納したコンピュータ読み取り可能な記憶媒体。
【請求項１２】
クライアント装置とサーバ装置からなり、時系列の区間に分割できるコンテンツの再生時に、コンテンツに関連付けられたコメントを表示するシステムにおけるクライアント装置に実行させるコンテンツ連携型コメント表示プログラムを格納したコンピュータ読み取り可能な記憶媒体であって、
コンテンツ再生時に、再生されるコンテンツ固有の時間情報と複数の系統がある時系列の区間との対応関係を表す構造情報をサーバ装置に要求し、取得する構造情報取得ステップと、
コンテンツを再生させるコンテンツ再生ステップと、
前記構造情報のコンテンツ固有の時間情報に基づいて、再生中のコンテンツの時間情報を取得する時間情報取得ステップと、
前記サーバ装置に対して、前記構造情報に基づいて、前記再生中のコンテンツの時間を包含する全ての区間に対応付けられたコメントを要求し、該サーバ装置からコメントを取得するコメント取得ステップと、
前記コンテンツの時間情報に対応する区間のコンテンツの再生中に前記コメントを表示装置に表示させるコメント表示ステップと、をコンピュータに実行させるプログラムを格納したことを特徴とする連携型コメント表示プログラムを格納したコンピュータ読み取り可能な記憶媒体。
【請求項１３】
前記コメント表示ステップにおいて、
時系列の区間の系統毎にコメントを表示または消去するステップを含む請求項１２記載の連携型コメント表示プログラムを格納したコンピュータ読み取り可能な記憶媒体。
【発明の詳細な説明】
【技術分野】
【０００１】
本発明は、コンテンツ連動型コメント表示方法及びシステム及びサーバ装置及びクライアント装置及びコメント表示プログラム及びコメント表示プログラムを格納したコンピュータ読み取り可能な記憶媒体に係り、特に、時系列の区間に分割できるコンテンツの再生時に、再生中のコンテンツに対して入力されているコメントを表示するコンテンツ連動型コメント表示方法及びシステム及びサーバ装置及びクライアント装置及びコメント表示プログラム及びコメント表示プログラムを格納したコンピュータ読み取り可能な記憶媒体に関する。
【背景技術】
【０００２】
映像や音楽といった時間軸を持つコンテンツについて、予め分割された時系列の区間に関する情報を保持し、さらに、区間に対して付与されたコメント情報を区間情報と対応付けて保持しておき、コンテンツの再生中に、再生されている区間に対して付与されたコメントを検索して表示する方法が提案されている。
【発明の開示】
【発明が解決しようとする課題】
【０００３】
しかしながら、上記の提案されている方法では、一連の時系列の区間は一系統に限られており、コメントが指し示す対象（例えば、映像中の人物、物体、事象、あるいは、音楽中のメロディー）の出現している区間と与えられた時系列の区間とは必ずしも一致しない。そのため、本来コメントが指し示す対象が再生中のコンテンツに出現する前にコメントが表示されたり、当該対象が再生中のコンテンツから消えた後にもコメントが表示され続けたりする問題や、連続する複数の区間に渡った事物に対するコメントの表示が困難であるという問題がある。
【０００４】
また、コメント入力時のコンテンツの時間を保持し、コメント表示順やコメント表示開始時間を制御することにより、上記の再生中のコンテンツにコメント対象が出現する前にコメントが表示されるという問題を解決できるが、コメント対象が再生中のコンテンツから消えた後にもコメントが表示されるという問題や、複数区間に渡る事物に対するコメントを表示することが困難であるという問題については解決されない。
【０００５】
また、コメントが指し示す対象が出現してからコメントが入力されるまでには一般に遅れがあるため、コメント対象が出現している時間とコメントが表示されている時間との間にずれが生じる。
【０００６】
本発明は、上記の点に鑑みなされたもので、複数系統の時系列の区間にそれぞれ関連付けられたコメントを検索し表示することが可能なコンテンツ連動型コメント表示方法及びシステム及びサーバ装置及びクライアント装置及びコメント表示プログラム及びコメント表示プログラムを格納したコンピュータ読み取り可能な記憶媒体を提供することを目的とする。
【０００７】
なお、ここで、「複数系統の時系列の区間」とは、映像の場合には、映像の切り替わりを基にした区間（ショット、カット、シーンなどと呼ばれる）、特定の人物や事物が出現している区間、特定の人物が喋っている区間、音楽が流れている区間、テロップが表示されている区間、ストーリ上の構成上の区間、利用者やサービス提供者が任意に設定した区間、などが挙げられる。これらの区間は不連続に存在してもよく、また、別系統の他の区間と重なっていてもよい。
【課題を解決するための手段】
【０００８】
図１は、本発明の原理を説明するための図である。
【０００９】
本発明は、クライアント装置とサーバ装置からなるシステムにおいて、時系列の区間に分割できるコンテンツの再生時に、コンテンツに関連付けられたコメントを表示するコンテンツ連動型コメント表示方法において、
クライアント装置の構造情報取得手段が、サーバ装置にアクセスすることにより（ステップ１）、再生されるコンテンツの固有の時間情報と複数の系統がある時系列の区間との対応関係を表す構造情報を取得する（ステップ２）構造情報取得過程と、
クライアント装置のコンテンツ再生手段が、コンテンツを再生する（ステップ３）コンテンツ再生過程と、
クライアント装置の時間情報取得手段が、構造情報の固有の時間情報に基づいて、コンテンツ再生過程において再生中のコンテンツの時間情報を取得する（ステップ４）時間情報取得過程と、
クライアント装置のコメント取得手段が、サーバ装置に対して、構造情報に基づいて再生中のコンテンツの時間を包含する全ての区間に対応付けられたコメントを要求し（ステップ５）、該サーバ装置からコメントを取得する（ステップ６）コメント取得過程と、
制御手段が、コメント取得過程で取得したコメントを、コンテンツの時間情報に対応する区間のコンテンツの再生中に表示装置に表示する（ステップ７）コメント表示過程と、からなる。
【００１０】
また、本発明は、コメント表示過程において、時系列の区間の系統毎にコメントを表示または消去する。
【００１１】
図２は、本発明の原理構成図である。
【００１２】
本発明は、クライアント装置２とサーバ装置１からなり、時系列の区間に分割できるコンテンツの再生時に、コンテンツに関連付けられたコメントを表示するコンテンツ連動型コメント表示システムであって、
サーバ装置１は、
再生されるコンテンツ固有の時間情報と複数の系統がある時系列の区間との対応関係を表す構造情報を格納する構造情報データベース１３と、
コンテンツの区間毎に割り当てられたコメントを格納するコメントデータベース１４と、
クライアント装置２から再生中のコンテンツに対応する構造情報の要求が発行されると、構造情報データベース１３を検索して該クライアント装置に返却する構造情報検索手段１１と、
クライアント装置２からコメントの要求が発行されると、コメントデータベース１４を検索して、該クライアント装置に返却するコメント検索手段１２と、を有し、
クライアント装置２は、
サーバ装置１にアクセスすることにより、再生するコンテンツの構造情報を要求し、該構造情報を取得する構造情報取得手段２１と、
コンテンツを再生するコンテンツ再生手段２２と、
構造情報のコンテンツ固有の時間情報に基づいて、再生中のコンテンツの時間情報を取得する時間情報取得手段２３と、
サーバ装置１に対して、構造情報に基づいて、再生中のコンテンツの時間を包含する全ての区間に対応付けられたコメントを要求し、該サーバ装置１からコメントを取得するコメント取得手段２４と、
コメントを、コンテンツの時間情報に対応する区間のコンテンツの再生中に表示装置４に表示するコメント表示手段２６と、を有する。
【００１３】
また、本発明のコメント表示手段２６は、時系列の区間の系統毎にコメントを表示または消去する手段を含む。
【００１４】
本発明は、クライアント装置とサーバ装置からなり、時系列の区間に分割できるコンテンツの再生時に、コンテンツに関連付けられたコメントを表示するシステムにおけるサーバ装置であって、
再生されるコンテンツ固有の時間情報と複数の系統がある時系列の区間との対応関係を表す構造情報を格納する構造情報データベースと、
コンテンツの区間毎に割り当てられたコメントを格納するコメントデータベースと、
クライアント装置から再生中のコンテンツに対応する構造情報の要求が発行されると、構造情報データベースを検索して該クライアント装置に返却する構造情報検索手段と、
クライアント装置からコメントの要求が発行されると、コメントデータベースを検索して、該クライアント装置に返却するコメント検索手段と、を有する。
【００１５】
本発明は、クライアント装置とサーバ装置からなり、時系列の区間に分割できるコンテンツの再生時に、コンテンツに関連付けられたコメントを表示するシステムにおけるクライアント装置であって、
コンテンツ再生時に、再生されるコンテンツ固有の時間情報と複数の系統がある時系列の区間との対応関係を表す構造情報をサーバ装置に要求し、取得する構造情報取得手段と、
コンテンツを再生するコンテンツ再生手段と、
構造情報のコンテンツ固有の時間情報に基づいて、再生中のコンテンツの時間情報を取得する時間情報取得手段と、
サーバ装置に対して、構造情報に基づいて、再生中のコンテンツの時間を包含する全ての区間に対応付けられたコメントを要求し、該サーバ装置からコメントを取得するコメント取得手段と、
コメントを、コンテンツの時間情報に対応する区間のコンテンツの再生中に表示装置に表示するコメント表示手段と、を有する。
【００１６】
また、本発明のクライアント装置のコメント表示手段は、時系列の区間の系統毎にコメントを表示または消去する手段を含む。
【００１７】
本発明は、クライアント装置とサーバ装置からなり、時系列の区間に分割できるコンテンツの再生時に、コンテンツに関連付けられたコメントを表示するシステムにおける該サーバ装置に実行させるコンテンツ連携型コメント表示プログラムであって、
クライアント装置から再生中のコンテンツに対応する構造情報の要求が発行されると、再生されるコンテンツ固有の時間情報と複数の系統がある時系列の区間との対応関係を表す構造情報を格納する構造情報データベースを検索して該クライアント装置に返却する構造情報検索ステップと、
クライアント装置からコメントの要求が発行されると、コンテンツの区間毎に割り当てられたコメントを格納するコメントデータベースを検索して、該クライアント装置に返却するコメント検索ステップと、をコンピュータに実行させる。
【００１８】
本発明は、クライアント装置とサーバ装置からなり、時系列の区間に分割できるコンテンツの再生時に、コンテンツに関連付けられたコメントを表示するシステムにおけるクライアント装置に実行させるコンテンツ連携型コメント表示プログラムであって、
コンテンツ再生時に、再生されるコンテンツ固有の時間情報と複数の系統がある時系列の区間との対応関係を表す構造情報をサーバ装置に要求し、取得する構造情報取得ステップと、
コンテンツを再生させるコンテンツ再生ステップと、
構造情報の固有の時間情報に基づいて、再生中のコンテンツの時間情報を取得する時間情報取得ステップと、
サーバ装置に対して、構造情報に基づいて、再生中のコンテンツの時間を包含する全ての区間に対応付けられたコメントを要求し、該サーバ装置からコメントを取得するコメント取得ステップと、
コメントを、コンテンツの時間情報に対応する区間のコンテンツの再生中に表示装置に表示させるコメント表示ステップと、をコンピュータに実行させる。
【００１９】
また、本発明のコメント表示ステップにおいて、時系列の区間の系統毎にコメントを表示または消去するステップを含む。
【００２０】
本発明は、クライアント装置とサーバ装置からなり、時系列の区間に分割できるコンテンツの再生時に、コンテンツに関連付けられたコメントを表示するシステムにおける該サーバ装置に実行させるコンテンツ連携型コメント表示プログラムを格納したコンピュータ読み取り可能な記憶媒体であって、
クライアント装置から再生中のコンテンツに対応する構造情報の要求が発行されると、再生されるコンテンツ固有の時間情報と複数の系統がある時系列の区間との対応関係を表す構造情報を格納する構造情報データベースを検索して該クライアント装置に返却する構造情報検索ステップと、
クライアント装置からコメントの要求が発行されると、コンテンツの区間毎に割り当てられたコメントを格納するコメントデータベースを検索して、該クライアント装置に返却するコメント検索ステップと、をコンピュータに実行させるプログラムを記憶媒体に格納する。
【００２１】
本発明は、クライアント装置とサーバ装置からなり、時系列の区間に分割できるコンテンツの再生時に、コンテンツに関連付けられたコメントを表示するシステムにおけるクライアント装置に実行させるコンテンツ連携型コメント表示プログラムを格納したコンピュータ読み取り可能な記憶媒体であって、
コンテンツ再生時に、再生されるコンテンツ固有の時間情報と複数の系統がある時系列の区間との対応関係を表す構造情報をサーバ装置に要求し、取得する構造情報取得ステップと、
コンテンツを再生させるコンテンツ再生ステップと、
構造情報のコンテンツ固有の時間情報に基づいて、再生中のコンテンツの時間情報を取得する時間情報取得ステップと、
サーバ装置に対して、構造情報に基づいて、再生中のコンテンツの時間を包含する全ての区間に対応付けられたコメントを要求し、該サーバ装置からコメントを取得するコメント取得ステップと、
コメントを、コンテンツの時間情報に対応する区間のコンテンツの再生中に表示装置に表示させるコメント表示ステップと、をコンピュータに実行させるプログラムを記憶媒体に格納する。
【００２２】
また、上記のコメント表示ステップにおいて、時系列の区間の系統毎にコメントを表示または消去するステップを含む。
【発明の効果】
【００２３】
本発明によれば、複数系統の時系列の区間にそれぞれ関連付けられたコメントを検索し表示することが可能となり、コメント対象の事物の出現区間とコメントの表示時間とを合致させることができる。例えば、事物についてコメントしたい場合には、事物の出現区間に対応付けてコメントを付与し、ストーリについてコメントしたい場合にはストーリ展開に沿って分割された区間に対応付けてコメントを付与しておき、本発明のコメント表示方法を用いてコメント対象の事物の出現区間とコメントの表示時間とを合致させることができる。
【００２４】
一つの用途として、コンテンツ中に出現する事物に対する広告コメントを利用者に提供するサービスがある。サービス提供者あるいは広告主が広告枠であるコンテンツの区間を定義し、定義された区間に対して広告主が広告コメントを入力し、一般利用者に対しては、コンテンツの該当区間の再生時に先に入力されたコメントを提示する。映像中の事物の出現に合わせて広告が表示されるので、効果が高いと考えられる。
【００２５】
また、時系列の区間の系統毎にコメントの制御を行うことにより、コメント対象毎にコメントを表示することができるため、様々な対象についてのコメントが一箇所に書かれて話題が把握しにくくなるという従来のシステムの弊害を軽減することができる。
【発明を実施するための最良の形態】
【００２６】
以下、図面と共に本発明の実施の形態を説明する。
【００２７】
図３は、本発明の一実施の形態におけるコメント表示システムの構成を示す。
【００２８】
同図に示すシステムは、サーバ装置１、クライアント装置２、これらを接続するネットワーク３、及び、クライアント装置２に接続される表示装置４から構成される。
【００２９】
サーバ装置１は、構造情報を格納する構造情報データベース１３、及びコメント情報を格納するコメントデータベース１４、クライアント装置２からの要求に応じて構造情報データベース１３を検索してコンテンツの構造情報を返却する構造情報検索部１１、クライアント装置２からの要求に応じてコメントデータベース１４を検索してコメント情報を返却するコメント検索部１２から構成される。
【００３０】
構造情報データベース１３には、コンテンツの区間の情報（具体的には、区間の識別情報、区間の系統の識別情報、区間の開始点、区間の終了点、などの情報）がコンテンツ識別情報と対応付けて格納される。
【００３１】
コメントデータベース１４には、コメントの情報が、対応する区間の識別情報と共に格納される。
【００３２】
クライアント装置２は、コンテンツの再生及び再生と連動したコメント表示を行う装置であり、コンテンツの構造情報をサーバ装置１より取得する構造情報取得部２１、コンテンツを再生するコンテンツ再生部２２、コンテンツ再生部２２で再生中のコンテンツの時間情報を取得する時間情報取得部２３、時間情報に対応するコメント情報をサーバ装置１より取得して表示装置４に表示するコメント取得部２４及びこれらの各構成要素を制御する制御部２５から構成される。
【００３３】
以下、上記の構成におけるシステムの動作を説明する。
【００３４】
図４は、本発明の一実施の形態におけるコメント表示方法のクライアント装置の動作のフローチャートである。
【００３５】
ステップ１０１）  クライアント装置２の構造情報取得部２１が、ネットワーク３を介してサーバ装置１にアクセスし、再生されるコンテンツに固有の時間情報と時系列の区間との対応関係を表す構造情報を取得する。図５は、本発明の一実施の形態におけるコンテンツの構造情報を説明するための図である。従来の技術の構造情報は、一系統かつ区間は連続であったのに比べ、本発明で用いる構造情報は、複数の系統があり、また、系統内の区間は必ずしも連続でなくてもよい点が異なる。図５の例では、３つの系統が記されており、『系統１』は、連続した区間の集合であるが、『系統２』及び『系統３』は不連続な区間の集合となっている。
【００３６】
ステップ１０２）  クライアント装置２のコンテンツ再生部２２において再生中のコンテンツの再生箇所を、時間情報取得部２３が時間的に特定する。
【００３７】
ステップ１０３）  クライアント装置２の時間情報取得部２３が、ステップ１０２で特定された再生箇所の時間が、ステップ１０１で取得した構造情報の複数の系統のいずれかの区間の終了点であるか判断し、いずれかの区間に該当する場合には、ステップ１０４に移行し、いずれの区間にも該当しない場合には、ステップ１０５に移行する。
【００３８】
ステップ１０４）  制御部２５は、以前の処理で表示装置４に表示されていたコメントを消去または、非表示にする。複数の区間が該当する場合には、これを繰り返す。
【００３９】
ステップ１０５）  ステップ１０２において時間情報取得部２３により特定された再生箇所の時間が、ステップ１０１で取得した構造情報の複数の系統のいずれかの区間の開始点であるかを判定し、いずれかの区間の開始点に該当する場合には、ステップ１０６〜１０７を実行する。
【００４０】
ステップ１０６）  クライアント装置２のコメント取得部２４が、当該コンテンツの区間の開始点に基づいて、サーバ装置１にアクセスし、当該区間の開始点に関連付けられたコメントを取得する。
【００４１】
ステップ１０７）  コメント取得部２４は、サーバ装置１から取得したコメントを表示装置４に表示する。複数の区間が該当する場合には、ステップ１０６以降の処理を繰り返す。
【００４２】
図６は、本発明の一実施の形態におけるコメント表示方法のサーバ装置のフローチャートである。
【００４３】
ステップ２０１）  サーバ装置１は、クライアント装置２から再生するコンテンツの識別情報を含む構造情報の要求を取得する。
【００４４】
ステップ２０２）  構造情報検索部１１は、コンテンツの識別情報に基づいて、構造情報データベース１３を検索する。
【００４５】
ステップ２０３）  検索された構造情報をクライアント装置２に返却する。
【００４６】
ステップ２０４）  サーバ装置１は、クライアント装置２から再生するコンテンツに対応するコメントを要求するためのコンテンツの識別情報を含むコメント要求を取得する。
【００４７】
ステップ２０５）  コメント検索部１２は、コンテンツの識別情報に基づいてコメントデータベース１４を検索する。
【００４８】
ステップ２０６）  検索されたコメントをクライアント装置２に返却する。
【００４９】
なお、コンテンツが途中から再生された場合などで、コメントが未取得である区間が存在する場合にも（ステップ１０５）、上記と同様の方法でコメントをサーバ装置1に要求し、サーバ装置１において、コメントデータベース１４を検索してクライアント装置２に返却し、クライアント装置２が、取得したコメントの表示を行う必要がある。
【００５０】
上記の一連の手順が実行される例を、図５の例を用いて説明する。
【００５１】
あるタイミングで再生箇所の時間がｔ１−１（＝Ｔ３−１）になったとすると、ステップ１０５で、区間１−１及び区間３−１の開始点であることが判定され、ステップ１０６〜１０７で区間１−１及び区間３−１に関連付けられたコメントがそれぞれサーバ装置１から取得されて表示装置4に表示される。その後、再生箇所の時間がＴ２−１になったとすると、ステップ１０５で区間２−１の開始点であることが判定され、ステップ１０６〜１０７で区間２−１に関連付けられたコメントが新たに取得されて表示される。再生箇所の区間がＴ１−３になったとすると、区間１−１の終了点であると同時に区間１−２の開始点であるため、区間１−２に関連付けられたコメントが取得され、区間１−１へのコメントに代わって表示される。再生箇所の時間がＴ２−２になったとすると、区間２−１の終了点であるため、区間２−１に関連付けられたコメントが非表示にされる。
【００５２】
以下、同様にコンテンツ再生部２２によるコンテンツの再生に従って手順が繰り返される。
【００５３】
以上に述べた手順により、コンテンツの再生箇所に対応する複数の区間に対応付けられたコメントを表示することができる。
【００５４】
また、上記のステップ１０７において、区間の系統毎にコメントの表示領域を定め、コメントの表示に変化があった系統の表示領域のみを更新する。これにより、コメント表示領域全体が更新されることを防ぎ、コメントの読解に支障がないようにする。
【００５５】
また、上記の図４に示すクライアント装置の動作及び、図６に示すサーバ装置動作をプログラムとして構築し、クライアント装置及びサーバ装置として利用される各々のコンピュータにインストールし、ＣＰＵ等の制御手段により実行させる、または、ネットワークを介して流通させることが可能である。
【００５６】
また、構築されたプログラムをクライアント装置及びサーバ装置として利用されるコンピュータに接続されるハードディスクや、フレキシブルディスク、ＣＤ−ＲＯＭ等の可搬記憶媒体に格納しておき、本発明の処理を実施する際にインストールすることも可能である。
【００５７】
なお、本発明は、上記の実施の形態に限定されることなく、特許請求の範囲内において種々変更・応用が可能である。
【産業上の利用可能性】
【００５８】
本発明は、時系列の区間に分割できるコンテンツの再生時にコメントを表示する、例えば、広告コメントを表示する等の技術に適用可能である。
【図面の簡単な説明】
【００５９】
【図１】本発明の原理を説明するための図である。
【図２】本発明の原理構成図である。
【図３】本発明の一実施の形態におけるコメント表示システムの構成図である。
【図４】本発明の一実施の形態におけるコメント表示方法のクライアント装置の動作のフローチャートである。
【図５】本発明の一実施の形態における映像コンテンツの構造情報を説明するための図である。
【図６】本発明の一実施の形態におけるコメント表示方法のサーバ装置の動作のフローチャートである。
【符号の説明】
【００６０】
１  サーバ装置
２  クライアント装置
３  ネットワーク
４  表示装置
１１  構造情報検索手段、構造情報検索部
１２  コメント検索手段、コメント検索部
１３  構造情報データベース
１４  コメントデータベース
２１  構造情報取得手段、構造情報取得部
２２  コンテンツ再生手段、コンテンツ再生部
２３  時間情報取得手段、時間情報取得部
２４  コメント取得手段、コメント取得部
２５  制御部
２６  コメント表示手段
【図１】
2005159903.tif 000003
【図２】
2005159903.tif 000004
【図３】
2005159903.tif 000005
【図４】
2005159903.tif 000006
【図５】
2005159903.tif 000007
【図６】
2005159903.tif 000008